(57)【要約】【課題】  充電に当たって、机上等を占拠してしまうこともなく、かつ、充電も容易にできる携帯型電子機器の壁掛け保持具を提供する。【解決手段】  壁面Ｗに固定又は壁面Ｗ側の支持突起Ｔ１に支持される背面部１０と、背面部１０の左右の両側端側に設けられ、携帯型電子機器１００の左右方向に対する位置決めと前方への倒れによる落下を防止する案内部１１，１２と、背面部１０の下部側に設けられ、携帯型電子機器１００の下端側を支持する支持部１５，１６と、背面部１０の端部側に設けられ、携帯型電子機器１００の充電コネクター１０１に着脱される電源側コネクター１１４を支持するコネクター支持部１７とを有し、かつ、案内部１１，１２、支持部１５，１６、及びコネクター支持部１７を、携帯型電子機器１００の端部に設けられた充電コネクター１０１を避けた位置に設けている。【選択図】        図６
2013192122.tif 000002
【特許請求の範囲】
【請求項１】
ディスプレイ画面に触れることにより入力がなされる携帯型電子機器を、壁面側に保持させるための携帯型電子機器の壁掛け保持具であって、
壁面に固定又は壁面側の支持突起に支持される背面部と、前記背面部の左右の両側端側に設けられ、前記携帯型電子機器の左右方向に対する位置決めと前方への倒れによる落下を防止する案内部と、前記背面部の下部側に設けられ、前記携帯型電子機器の下端側を支持する支持部と、前記背面部の端部側に設けられ、前記携帯型電子機器の充電コネクターに着脱される電源側コネクターを支持するコネクター支持部とを有し、
かつ、前記案内部、前記支持部、及び前記コネクター支持部が、前記携帯型電子機器の端部に設けられた前記充電コネクターを避けた位置に設けられていることを特徴とする携帯型電子機器の壁掛け保持具。
【請求項２】
前記支持部には、前記携帯型電子機器の下端側が前方へ滑り落ちるのを防止する滑り防止ガイドが設けられていることを特徴とする請求項１記載の携帯型電子機器の壁掛け保持具。
【請求項３】
前記コネクター支持部が、前方へ突出した形状に形成されて、前記背面部の下端側に設けられており、かつ、前記支持突起が差し込まれる前記背面部の支持孔の近傍に、前記コネクター支持部と同一サイズに形成された、他の壁掛け保持具の前記コネクター支持部を差し込んで、このコネクター支持部を前記支持突起のように使用する他の支持孔が形成されていることを特徴とする請求項１又は２記載の携帯型電子機器の壁掛け保持具。
【請求項４】
前記携帯型電子機器がスマートフォンである場合の前記他の支持孔が、前記携帯型電子機器がタブレット型コンピュータである場合の前記コネクター支持部も差し込めるサイズに形成されているか、又は、前記携帯型電子機器がタブレット型コンピュータである場合の前記他の支持孔が、前記携帯型電子機器がスマートフォンである場合の前記コネクター支持部も差し込めるサイズに形成されていることを特徴とする請求項３記載の携帯型電子機器の壁掛け保持具。
【発明の詳細な説明】
【技術分野】
【０００１】
本発明は、タブレット型コンピュータやスマートフォンのような、ディスプレイ画面に触れることにより入力がなされる携帯型電子機器を、壁面側に保持させるための携帯型電子機器の壁掛け保持具に関するものである。
【背景技術】
【０００２】
近年、ｉＰａｄ（米国アップル社の登録商標）のようなタブレット型コンピュータ（タブレット端末）、ｉＰｈｏｎｅ（米国アップル社の登録商標）のようなスマートフォン、ｉＰｏｄ  ｔｏｕｃｈ（米国アップル社の登録商標）のような携帯音楽プレーヤーといった、独自の機能以外に携帯情報端末としての機能を有するとともに、ディスプレイ画面に指やペンで触れることにより入力が可能な（タッチパネル式の）、薄くて軽い携帯型電子機器が広く普及している。これは、これらの携帯型電子機器が、持ち歩くことが容易であるため、何時でも、これを使ってインターネット関連の種々の情報が容易に入手できるという利便性を有しているからである。
【０００３】
一方、これらの携帯型電子機器は、電力消費量も多いため、ほぼ毎日、機器の充電を行う必要がある。この充電作業は、充電器の一端側のＡＣアダプター付きプラグをコンセントに差し込むとともに、他端側の電源用コネクターを携帯型電子機器の充電コネクターに差し込むことにより行う。
【発明の概要】
【発明が解決しようとする課題】
【０００４】
ところが、携帯型電子機器を床の上に置いた状態で充電を行うと、通行のじゃまになるため、機器を足で踏んでしまったり、蹴飛ばしてしまって、足や機器に損傷を与えてしまうという問題があった。また、充電に当たり、充電器を取り出して、プラグをコンセントに差し込む等、充電作業も簡単でないという問題もあった。
【０００５】
さらに、携帯型電子機器を机やテーブルの上に置いて充電する場合、机等の上が携帯型電子機器で占拠され、机等の使い勝手が悪いという問題もあった。この場合、充電コードはあまり長くないので、コンセントから充電コードまでの延長コードも必要になる場合も多い。
【０００６】
この発明は、以上の点に鑑み、携帯型電子機器の充電に当たって、携帯型電子機器が、じゃまにならず、かつ、机上等を占拠してしまうこともないとともに、充電も容易にすることができる携帯型電子機器の壁掛け保持具を提供することを目的とする。
【課題を解決するための手段】
【０００７】
この発明の請求項１記載の発明は、ディスプレイ画面に触れることにより入力がなされる携帯型電子機器を、壁面側に保持させるための携帯型電子機器の壁掛け保持具であって、壁面に固定又は壁面側の支持突起に支持される背面部と、前記背面部の左右の両側端側に設けられ、前記携帯型電子機器の左右方向に対する位置決めと前方への倒れによる落下を防止する案内部と、前記背面部の下部側に設けられ、前記携帯型電子機器の下端側を支持する支持部と、前記背面部の端部側に設けられ、前記携帯型電子機器の充電コネクターに着脱される電源側コネクターを支持するコネクター支持部とを有し、かつ、前記案内部、前記支持部、及び前記コネクター支持部が、前記携帯型電子機器の端部に設けられた前記充電コネクターを避けた位置に設けられていることを特徴とする。
【０００８】
この発明では、室内の壁面のコンセント上方に、支持突起を設け、これを、背面部の支持孔に通して、この壁掛け保持具を壁面側に支持させる。そして、充電器の一端側のプラグをコンセントに差し込むとともに、他端側の電源側コネクターをこの壁掛け保持具のコネクター支持部に支持させておく。この場合、電源側コネクターを携帯型電子機器の充電コネクターに差し込めるように、充電器のコードの長さには余裕を持たせておく。なお、背面部を、ネジ等の固定具を利用して、壁面に固定し、壁掛け保持具を壁面側に固定するようにしてもよい。
【０００９】
携帯型電子機器を壁掛け保持具に収納するには、携帯型電子機器の裏面側を背面部に沿わせた状態で、この携帯型電子機器の下部側が左右の案内部内に差し込まれるようにしつつ、これを上方から支持部上に落とし込めばよく、この状態で、携帯型電子機器は、この壁掛け保持具に、前後方向、左右方向、上下方向に位置決めされる。また、この状態で、携帯型電子機器のディスプレイ画面を、壁面に沿って、利用者のいる前面側に向けることができるため、利用者は、容易にこの携帯型電子機器の入力操作ができ、これを利用できることとなる。そして、この携帯型電子機器の充電を行うには、コネクター支持部に支持されている電源側コネクターを、携帯型電子機器の端部側の充電コネクターに差し込めばよい。この場合、案内部、支持部、及びコネクター支持部は、携帯型電子機器の充電コネクターと干渉しない位置に設けられているため、電源側コネクターを、携帯型電子機器の端部側の充電コネクターに差し込むのも容易である。
【００１０】
この発明の請求項２記載の発明は、請求項１記載の発明の場合において、前記支持部には、前記携帯型電子機器の下端側が前方へ滑り落ちるのを防止する滑り防止ガイドが設けられていることを特徴とする。
【００１１】
この発明では、支持部に、携帯型電子機器の前方への滑り防止ガイドが設けられているので、案内部の前方への倒れによる落下防止部分と携帯型電子機器との間に充分な隙間があった場合でも、この携帯型電子機器の下端側が、支持部から滑り落ちてしまうことはない。
【００１２】
この発明の請求項３記載の発明は、請求項１又は２記載の発明の場合において、前記コネクター支持部が、前方へ突出した形状に形成されて、前記背面部の下端側に設けられており、かつ、前記支持突起が差し込まれる前記背面部の支持孔の近傍に、前記コネクター支持部と同一サイズに形成された、他の壁掛け保持具の前記コネクター支持部を差し込んで、このコネクター支持部を前記支持突起のように使用する他の支持孔が形成されていることを特徴とする。
【００１３】
この発明では、一方の壁掛け保持具のコネクター支持部を、他方の壁掛け保持具の背面部の他の支持孔に差し込むことにより、複数の壁掛け保持具を、壁面側に容易に支持させることができる。
【００１４】
この発明の請求項４記載の発明は、請求項３記載の発明の場合において、前記携帯型電子機器がスマートフォンである場合の前記他の支持孔が、前記携帯型電子機器がタブレット型コンピュータである場合の前記コネクター支持部も差し込めるサイズに形成されているか、又は、前記携帯型電子機器がタブレット型コンピュータである場合の前記他の支持孔が、前記携帯型電子機器がスマートフォンである場合の前記コネクター支持部も差し込めるサイズに形成されていることを特徴とする。
【００１５】
この発明では、例えば、タブレット型コンピュータ用の壁掛け保持具の下端部に、スマートフォン用の壁掛け保持具を容易に支持させることができ、タブレット型コンピュータとスマートフォンとを、上下に並べて壁面側に収納・保持することができる。
【発明の効果】
【００１６】
この発明の請求項１又は２記載の発明によれば、携帯型電子機器を、壁掛け保持具内に落とし込むだけで、壁面に沿うように、この壁面側に保持させることができる。このため、この発明では、携帯型電子機器を、簡単に、かつ、じゃまにならない場所に収納できるとともに、収納後であっても、この携帯型電子機器を使って種々の情報を入手することができる。また、これらの発明によれば、コネクター支持部に支持されている電源側コネクターを、携帯型電子機器の充電コネクターに差し込むだけで、この携帯型電子機器の充電をすることができ、充電が容易にできるとともに、充電に当たって、携帯型電子機器が机上等を占拠してしまったり、床上で充電中の携帯型電子機器が通行等のじゃまになるため、これを蹴飛ばしてしまうといった不都合をなくすことができる。
【００１７】
この発明の請求項３記載の発明によれば、例えば、複数の携帯型電子機器（例えば、２台のスマートフォン、スマートフォンとｉＰｏｄ  ｔｏｕｃｈ）を有している場合、複数の壁掛け保持具を用いることにより、携帯型電子機器を簡単に壁面側に並べて収納・保持することができる。このことにより、複数の携帯型電子機器を同時に使用したり、同時に充電することができるので、これらの携帯型電子機器の使い勝手をよくすることができる。
【００１８】
この発明の請求項４記載の発明によれば、例えば、タブレット型コンピュータ用とスマートフォン用の、２つの壁掛け保持具を有すことにより、タブレット型コンピュータやスマートフォンを上下に並べて、壁面側に簡単に収納することができるので、これらの携帯型電子機器の使い勝手をよくすることができる。
【図面の簡単な説明】
【００１９】
【図１】この発明の実施形態１に係る壁掛け保持具の外観斜視図である。
【図２】図１の壁掛け保持具の正面図である。
【図３】図１の壁掛け保持具の側面図である。
【図４】図１の壁掛け保持具の底面図である。
【図５】この壁掛け保持具を壁面側に取り付ける場合の説明図のである。
【図６】この壁掛け保持具にスマートフォンを収納し、これの充電をしている状態を示す斜視図である。
【図７】実施形態１の変更実施形態に係る壁掛け保持具の外観斜視図である。
【図８】この発明の実施形態２に係る壁掛け保持具の外観斜視図である。
【図９】図８の壁掛け保持具の正面図である。
【図１０】この壁掛け保持具を壁面側に取り付ける場合の説明図のである。
【図１１】この壁掛け保持具にタブレット型コンピュータを収納し、これの充電をしている状態を示す斜視図である。
【図１２】この壁掛け保持具に実施形態１の壁掛け保持具をぶら下げ、これらによって、タブレット型コンピュータとスマートフォンとを収納するとともに、このタブレット型コンピュータとスマートフォンの充電を行っている状態を示す図である。
【図１３】背面部の支持孔と、これに差し込まれるコネクター載置部とに関する他の実施形態を示す図であり、（ａ）は、スマートフォン用の壁掛け保持具の支持孔を示し、（ｂ）はタブレット型コンピュータ用の壁掛け保持具のコネクター載置部を示している。
【図１４】背面部の支持孔に関する他の実施形態を示す図であり、（ａ）は、スマートフォン用の壁掛け保持具の支持孔を示し、（ｂ）はタブレット型コンピュータ用の壁掛け保持具のコネクター載置部を示し、（ｃ）はスマートフォン用の壁掛け保持具の支持孔に、タブレット型コンピュータ用の壁掛け保持具のコネクター載置部が差し込まれた状態を示している。
【発明を実施するための最良の形態】
【００２０】
以下、この発明の実施の形態を図面を参照しつつ説明する。
実施形態１．
図１〜図４は、この発明の一実施の形態に係る壁掛け保持具を示している。
この壁掛け保持具１は、例えば、スマートフォンを、利用できる状態で、壁面側に収納するためのものである。この壁掛け保持具１は、例えば、１．５ｍｍ厚さの薄いアルミニウム板をカット後、曲げ加工し、これに塗装を施すことにより形成される。
【００２１】
壁掛け保持具１は、図１で示されるように、上下の中心線Ｎ１に対して左右対称に形成されており、壁面Ｗ側の支持突起Ｔ１に支持される薄い平板状の背面部１０と、背面部１０の両側端側に設けられ、スマートフォン１００（図５参照）の左右両端部を支持して、このスマートフォン１００の左方又は右方への移動による落下と、前方への倒れによる落下を防止する第１案内部１１，１２と、第１案内部１１，１２下方の、背面部１０の左右両側端側に設けられ、スマートフォン１００下部の左方又は右方への大きな移動を防止する第２案内部１３，１４と、第２案内部１３，１４のやや下方で、背面部１０の下部側に設けられ、スマートフォン１００の下端側を支持する一対の支持部１５，１６と、背面部１０の支持部１５，１６より下方側に設けられ、スマートフォン１００の充電コネクタ１０１に着脱される、充電器１１０（図５参照）の電源側コネクタ１１２を載置（支持）するとともに、この電源側コネクター１１２のコード１１１の案内溝Ｍ１が形成された、コネクター支持部としてのコネクター載置部１７とから構成されている。
【００２２】
ここで、スマートフォン１００とは、例えば、ｉＰｈｏｎｅのような薄くて小型の携帯電話を意味しており、図５で示されるように、例えば、下端中央に充電コネクター１０１が設けられ、正面（前面）にタッチパネル式のディスプレイ１０２を有するものをいう。ここでは、スマートフォン１００の大きさとして、例えば、幅６２ｍｍ、高さ１１５ｍｍ、厚さ７〜８ｍｍ程度のものを考えている。
【００２３】
また、充電器１１０は、図５で示されるように、コード１１１の一端側に、ＡＣアダプター１１３付きプラグ１１２が設けられ、コード１１１の他端側に、スマートフォン１００の充電コネクター１０１に差し込まれる電源側コネクター１１４が設けられたものである。なお、パソコンのＵＳＢ雌端子からでも充電できるように、コード１１１のＡＣアダプター１１３側は、ＵＳＢ雄端子１１５となっており、これが、ＡＣアダプター１１３側のＵＳＢ雌端子に差し込まれている。
【００２４】
背面部１０は、図２で示されるように、上側の、円状の頭部１０ａと首部１０ｂから、下側の尾部１０ｄまでの間に、上下に長い胴部１０ｃが形成されているとともに、首部１０ｂの下側の胴部１０ｃに、左右に延びる上肢部１０ｅ、１０ｆが形成され、かつ、上肢部１０ｅ、１０ｆの下方の胴部１０ｃに、左右に延びる下肢部１０ｇ、１０ｈが形成されている。上肢部１０ｅ、１０ｆと下肢部１０ｇ、１０ｈの左右両端間の長さは、等しく、かつ、スマートフォン１００の左右幅よりやや大きくなっている。首部１０ｂの下部と上肢部１０ｅ、１０ｆの上部とは、凹状に滑らかに湾曲するように形成され、上肢部１０ｅ、１０ｆの下部と下肢部１０ｇ、１０ｈの上部も、凹状に滑らかに湾曲するように形成されている。尾部１０ｄは、胴部１０ｃに続くように、胴部１０ｃよりやや細幅に形成され、尾部１０ｄの上端側左右部は、下肢部１０ｇ、１０ｈの下部に逆Ｕ状に切り込んだ形状に形成されている。
【００２５】
背面部１０の頭部１０ａの上部側中央には、壁面Ｗの支持突起Ｔ１が差し込まれる小支持孔Ｄ１が形成されているとともに、この小支持孔Ｄ１下方（近傍）に、これに続くように、左右に長く、かつ、上下長さも、小支持孔Ｄ１よりやや大きい楕円形状の大支持孔Ｄ２が形成されている。この大支持孔Ｄ２は、コネクター載置部１７が差し込める大きさに形成されている。
【００２６】
第１案内部１１，１２は、図２及び図３で示されるように、スマートフォン１００の高さの下からほぼ１／３の位置付近をガイドするものであり、スマートフォン１００の左右方向への位置決めと、前方への倒れによる落下を防止するものである。第１案内部１１は、背面部１０の左側の上肢部１０ｅの左端に設けられており、前方へ突出して、スマートフォン１００の左方への移動を防止する前突出部１１ａの前端から、スマートフォン１００の左部が前方に倒れるのを防止する右突出部１１ｂが右方に延びるように形成されたものである。同様に、第１案内部１２は、背面部１０の右側の上肢部１０ｆ右端に設けられており、前方へ突出して、スマートフォン１００の右方への移動を防止する前突出部１２ａの前端から、スマートフォン１００の右部が前方に倒れるのを防止する左突出部１１ｂが左方に延びるように形成されたものである。ここで、前突出部１１ａ，１２ａは、前後の長さが、スマートフォン１００の厚さよりやや大きくなるように形成されている。また、右及び左突出部１１ｂ,１２ｂは、スマートフォン１００が、前突出部１１ａ，１２ａの一方側に寄るように位置決めされた場合でも、スマートフォン１００が前方へ倒れるのを防止できる長さに形成されている。なお、右及び左突出部１１ｂ,１２ｂは、スマートフォン１００の正面側をできるだけ覆わないように、小さく形成されている。
【００２７】
第２案内部１３，１４は、図２及び図３で示されるように、背面部１０の下肢部１０ｇ、１０ｈの左右端に設けられており、前方へ突出して、スマートフォン１００の下端側が、左方及び右方に大きく移動するのを防止している。この第２案内部１３，１４は、第１案内部１１，１２の前突出部１１ａ，１２ａ下方に設けられ、前後長さが、これらよりやや短く形成されている。
【００２８】
支持部１５，１６は、背面部１０の下肢部１０ｇ、１０ｈの下端の、スマートフォン１００の充電コネクター１０１を避けた位置に設けられており、図２及び図３で示されるように、前方へ突出して、スマートフォン１００の下端を支持する水平な支持部分１５ａ，１６ａの前端から、スマートフォン１００の下端側が、前方へ滑り落ちるのを防止する滑り防止ガイド１５ｂ，１６ｂが上方に延びるように形成されたものである。支持部分１５ａ，１６ａの前後の長さは、第１案内部１１，１２の前突出部１１ａ，１２ａとほぼ同じ長さに形成されている。この場合、支持部１５は、第２案内部１３に近い位置に設けられ、支持部１６は、第２案内部１４に近い位置に設けられていて、これらによって、スマートフォン１００は、下端側の左右の両角部が案内支持されている。ここで、支持部１５，１６の支持部分１５ａ，１６ａから、背面部１０の小支持孔Ｄ１又は大支持孔Ｄ２までの上下距離は、スマートフォン１００を、支持突起Ｔ等と干渉させずに、上方から支持部１５，１６上に落とし込める長さとなっている。なお、滑り防止ガイド１５ｂ，１６ｂは、第２案内部１３，１４の上端と同一レベルとなるまで上方に延びている。
【００２９】
コネクター載置部１７は、図２及び図３で示されるように、背面部１０の尾部１０ｄの下端に設けられており、前方へ突出して、充電器１１０の電源側コネクター１１４を載置する載置部分１７ａの前端から、落下防止部１７ｂが上方に向かって僅かに延びるように形成されたものである。このコネクター載置部１７には、図４で示されるように、前方から後方に向かって、電源側コネクター１１４のコード１１１を案内する案内溝Ｍ１が形成されており、載置部分１７ａの中央まで延びた案内溝Ｍ１の後端部は、やや太幅の円弧溝Ｍ１０となっている。なお、コネクター載置部１７の載置部分１７ａから支持部１５，１６の支持部分１５ａ，１６ａまでの距離は、電源側コネクター１１４が、スマートフォン１００の下端に触れず、かつ、電源側コネクター１１４の充電コネクター１０１への差し込み動作に支障のない距離となっている。
【００３０】
つぎに、この壁掛け保持具１の取り付け等と、作用効果について説明する。
まず、図５で示されるように、壁面ＷのコンセントＣ上方に、支持突起Ｔ１を取り付ける。そして、壁掛け保持具１の小支持孔Ｄ１に支持突起Ｔ１を差し込み、この壁掛け保持具１を壁面Ｗ側に支持させる。つづいて、充電器１１０のプラグ１１２をコンセントＣに差し込み、コード１１１をＵ状に垂らした後、電源側コネクター１１４を壁掛け保持具１のコネクター載置部１７（載置部分１７ａ）上に載せる。この場合、電源側コネクター１１４下方のコード１１１を案内溝Ｍ１に差し込んで、電源側コネクター１１４を載置部分１７ａ上で安定させるようにする。この状態で、壁掛け保持具１の壁面Ｗ側への取り付けは終了する。
【００３１】
つづいて、スマートフォン１００を、この壁掛け保持具１に収納するには、スマートフォン１００の裏面側を、背面部１０に沿わせた状態で、スマートフォン１００の下部側が左右の第１案内部１１，１２内に差し込まれるようにしつつ、これを支持部１５，１６（支持部分１５ａ，１６ａ）上に落とし込めばよい。この状態で、スマートフォン１００は、図６で示されるように、この壁掛け保持具１に、ディスプレイ１０２の画面を前面に向けた状態で、前後方向、左右方向、上下方向に位置決めされる。この場合、スマートフォン１００の正面（前面）側は、下から１／３の位置が、一部分、第１案内部１１，１２の左及び右突出部１１ｂ,１２ｂで覆われ、下端側が一部、支持部１５，１６の滑り防止ガイド１５ｂ，１６ｂで覆われるが、覆われる部分が、スマートフォン１００の端であり、かつ、覆う面積も小さいため、これらが、スマートフォン１００の操作や使用に障害を生じさせることはない。
【００３２】
したがって、スマートフォン１００の使用者は、壁掛け保持具１中のスマートフォン１００のディスプレイ１０２の画面に、タッチして自由に入力し、必要な情報を得ることができるとともに、電子メールを読んだり、出したりすることができる。また、スマートフォン１００の壁掛け保持具１からの取り出しも、上記と逆の動作をすればよいので、容易であり、例えば、電話がかかってきた場合には、スマートフォン１００を壁掛け保持具１から取り出して、容易に電話に出ることができる。
【００３３】
また、夜間、スマートフォン１００の充電を行うには、コネクター載置部１７上に置かれている、充電器１１０の電源側コネクター１１４を、図６で示されるように、スマートフォン１００の充電コネクター１０１に差し込めばよく、操作も容易である。そして、充電が終了した翌朝、電源側コネクター１１４をスマートフォン１００から外して、これを、コネクター載置部１７側に載せておけば、スマートフォン１００は何時でも使用できる状態となる。
【００３４】
以上のように、この壁掛け保持具１では、スマートフォン１００を壁掛け保持具１内に落とし込むだけで、これを、壁面Ｗに沿うように、この壁面Ｗ側に保持させることができる。このため、この壁掛け保持具１では、スマートフォン１００を、じゃまにならない場所に簡単に収納できるとともに、収納後であっても、このスマートフォン１００を使って種々の情報を入手することができる。また、この壁掛け保持具１では、コネクター載置部１７上に置かれた充電器１１０の電源側コネクター１１４を、スマートフォン１００の充電コネクター１０１に差し込むだけで、このスマートフォン１００の充電をすることができ、充電が容易にできるとともに、充電に当たって、スマートフォン１００が場所を占拠してしまったり、床上で充電中のスマートフォン１００が通行等のじゃまになるため、これを蹴飛ばしてしまうといった不都合をなくすことができる。
【００３５】
また、この壁掛け保持具１では、コネクター載置部１７が支持突起Ｔ１のように使用できるため、これを複数有しておれば、一方の壁掛け保持具１の大支持孔Ｄ２に、他方の壁掛け保持具１のコネクター載置部１７を差し込んで、複数の壁掛け保持具１を壁面Ｗ側にぶら下げることができる。このため、例えば、家族用の複数のスマートフォン１００、又はスマートフォン１００とｉＰｏｄ  ｔｏｕｃｈのように、複数又は複数種類の小型の携帯型電子機器を有している場合には、これらを、複数の壁掛け保持具１に簡単に収納することができ、これらの携帯型電子機器の使い勝手をよくすることができる。
【００３６】
なお、この実施形態では、スマートフォン１００の充電コネクター１０１は、スマートフォン１００の下端側中央に設けられているが、スマートフォン１００の左右の何れかの端部や上端側に設けられていてもよい。もちろん、壁掛け保持具１の第１案内部１１，１２、第２案内部１３，１４、支持部１５，１６、及び、コネクター載置部１７は、スマートフォン１００の充電コネクター１０１と干渉しない位置に設けられている必要がある。
【００３７】
また、コネクター載置部１７は、背面部１０の下端側に設けられているが、背面部１０の左端側や右端側といった、背面部１０の端部に設けられておればよい。
【００３８】
さらに、この壁掛け保持具１では、第２案内部１３，１４や、支持部１５，１６の滑り防止ガイド１５ｂ，１６ｂがなくても、スマートフォン１００を位置決めできるので、これらはあれば役にはたつが、必ず必要なものではない。
【００３９】
また、第１案内部１１，１２は、スマートフォン１００の下からほぼ１／３の高さの位置に設けられているが、これに限らず、スマートフォン１００の下から１／４〜１／２の位置に設けてもよい。また、第１案内部１１，１２は、その上下の高さをもっと大きくしてもよい。
【００４０】
さらに、壁掛け保持具は、図７で示されるように、ネジのような固定具を使用して壁面Ｗ側に固定される壁掛け保持具２であってもよい。この壁掛け保持具２は、壁掛け保持具１から、背面部１０の頭部１０ａ、首部１０ｂ、胴部１０ｃの上部、及び、上肢部１０ｅ、１０ｆの上部をカットしたものであり、背面部１０Ａに、円錐状に漸次小径となる２つの固定孔１０ｊ，１０ｊが形成されたものである。この壁掛け保持具２は、固定孔１０ｊ，１０ｊを介して、ネジを壁面Ｗにねじ込むことにより、この壁面Ｗ側に固定される。
【００４１】
実施形態２．
図８及び図９は、この発明の他の実施の形態に係る壁掛け保持具を示している。
この壁掛け保持具３は、タブレット型コンピュータ（以下、タブレットＰＣ２００という）を、使用できる状態で、壁面Ｗ側に収納するためのものである。この壁掛け保持具３は、例えば、１．５ｍｍ厚さの薄いアルミニウム板をカット後、曲げ加工し、これに塗装を施すことにより形成される。
【００４２】
この壁掛け保持具２は、図８で示されるように、上下の中心線Ｎ２に対して左右対称に形成されており、壁面Ｗ側の支持突起Ｔ２に支持される平面状の背面部２０と、背面部２０の両側端側に設けられ、タブレットＰＣ２００（図１１参照）の左右両端部を支持して、このタブレットＰＣ２００の左方又は右方への移動による落下と、前方への倒れによる落下を防止する案内部２１，２２と、案内部２１，２２のやや下方の背面部２０の下部側に設けられ、タブレットＰＣ２００の下端側を支持する一対の支持部２３，２４と、背面部２０の支持部２３，２４より下方側に設けられ、タブレットＰＣ２００の充電コネクタ２０１に着脱される、充電器２１０（図１０参照）の電源側コネクタ２１２を載置（支持）するとともに、この電源側コネクター２１２のコード２１１の案内溝Ｍ２が形成された、コネクター支持部としてのコネクター載置部２５とから構成されている。
【００４３】
ここで、タブレットＰＣ２００とは、例えば、ｉＰａｄのような薄くて携帯型のパソコンを意味しており、図１１で示されるように、例えば、下端中央に、充電コネクター２０１が設けられ、正面（前面）にタッチパネル式のディスプレイ２０２を有するものをいう。ここでは、タブレットＰＣ２００の大きさとして、例えば、幅が１８６ｍｍ、高さが２４１ｍｍ、厚さが７〜８ｍｍ程度のものを考えている。なお、図１１中、符号２０３は、タブレットＰＣ２００のディスプレイ２０２側を覆う、取り外し容易なカバーであり、この図において、カバー２０３は、タブレットＰＣ２００の裏面側に向けられている。
【００４４】
また、充電器２１０は、充電器１１０と同一タイプのものであり、図１０で示されるように、コード２１１の一端側に、ＡＣアダプター２１３付きプラグ２１２が設けられ、コード２１１の他端側に、タブレットＰＣ２００の充電コネクター２０１に差し込まれる電源側コネクター２１４が設けられている。なお、この充電器２１０も、コード１１１の端部側にＵＳＢ雄端子２１５を有している。
【００４５】
背面部２０は、図９で示されるように、上部の山形部２０ａ下方に、矩形部２０ｂが設けられ、矩形部２０ｂの中央下端側に、逆台形状の垂下部２０ｃが設けられたものである。山形部２０ａは、上端側が凸円弧状に形成され、下端側の両側が、矩形部２０ｂの上端側角部と結ぶように、凹円弧状に形成されたもので、背面部２０の上下高さの約２／３を占めるものである。矩形部２０ｂは、下側の両角部が凹円弧状にカットされており、左右の両端間の距離が、タブレットＰＣ２００の幅サイズよりやや大きくなるように形成されている。垂下部２０ｃの左右の上端側は、矩形部２０ｂの下端側に逆Ｕ字状に切れ込んだ形状に形成されている。
【００４６】
背面部１０の山形部２０ａの上部側中央には、壁面Ｗ側の支持突起Ｔ２が差し込まれる小支持孔Ｅ１が形成されているとともに、この小支持孔Ｅ１下方（近傍）に、これに続くように、左右に長く、かつ、上下長さも、小支持孔Ｅ１よりやや大きい６角形状の大支持孔Ｅ２が形成されている。この大支持孔Ｅ２は、コネクター載置部２５が差し込める大きさに形成されている。
【００４７】
案内部２１，２２は、タブレットＰＣ２００の下部側、更に詳細に言えば、タブレットＰＣ２００の高さの下から約１／３の位置から下方側、をガイドするものであり、タブレットＰＣ２００の左右方向への位置決めと、前方への倒れによる落下を防止するものである。案内部２１は、図８及び図９で示されるように、背面部２０の矩形部２０ｂの左端に設けられており、前方へ突出して、タブレットＰＣ２００の左方への移動を防止する前突出部２１ａの前端から、タブレットＰＣ２００の左部が前方に倒れるのを防止する右突出部２１ｂが右方に延びるように形成されたものである。同様に、案内部２２は、背面部２０の矩形部２０ｂ右端に設けられており、前方へ突出して、タブレットＰＣ２００の右方への移動を防止する前突出部１２ａの前端から、タブレットＰＣ２００の右部が前方に倒れるのを防止する左突出部１１ｂが左方に延びるように形成されたものである。ここで、前突出部２１ａ，２２ａは、前後の長さが、タブレットＰＣ２００の厚さよりやや大きくなるように形成されている。また、左及び右突出部２１ｂ,２２ｂは、タブレットＰＣ２００が、前突出部２１ａ，２２ａの一方側に寄るように位置決めされた場合でも、タブレットＰＣ２００が前方へ倒れるのを防止できる長さに形成されている。
【００４８】
支持部２３，２４は、図８及び図９で示されるように、背面部２０の矩形部２０ｂ下端の、タブレットＰＣ２００の充電コネクター２０１を避けた位置に設けられており、前方へ突出して、タブレットＰＣ２００の下端を支持する水平な支持部分２３ａ，２４ａの前端から、タブレットＰＣ２００の下端側が、前方へ滑り落ちるのを防止する滑り防止ガイド２３ｂ，２４ｂが上方に延びるように形成されたものである。支持部分２３ａ，２４ａの前後の長さは、案内部２１，２２の前突出部２１ａ，２２ａとほぼ同じ長さに形成されている。ここで、支持部２３，２４の支持部分２３ａ，２４ａから、背面部１０の小支持孔Ｅ１又は大支持孔Ｅ２までの上下距離は、タブレットＰＣ２００を支持突起Ｔ２等と干渉させずに、上方から支持部２３，２４上に落とし込める長さとなっている。
【００４９】
コネクター載置部２５は、図８及び図９で示されるように、背面部２０の垂下部２０ｃ下端に設けられており、前方へ突出して、充電器２１０の電源側コネクター２１４を載置する載置部分２５ａの前端から、落下防止部２５ｂが上方に向かって僅かに延びるように形成されたものである。このコネクター載置部１７には、前方から後方に向かって、電源側コネクター１１４のコード１１１を案内する案内溝Ｍ２が形成されており、載置部分１７ａの中央まで延びた案内溝Ｍ２の後端部は、やや太幅の円弧溝Ｍ２０となっている。なお、コネクター載置部１７の載置部分１７ａから支持部２３，２４の支持部分２３ａ，２４ａまでの距離は、電源側コネクター２１４が、タブレットＰＣ２００の下端に触れず、かつ、電源側コネクター２１４の充電コネクター２０１への差し込み動作に支障のない距離となっている。
【００５０】
つぎに、この壁掛け保持具３の取り付け等と、作用効果について説明する。
この壁掛け保持具３においても、小支持孔Ｅ１に支持突起Ｔ２を差し込み、これを壁面Ｗ側に支持させた後、充電器２１０のプラグ２１２をコンセントＣに差し込み、コード２１１を案内溝Ｍ２に入れつつ、電源側コネクター２１４を、壁掛け保持具３のコネクター載置部２５上に載置する。そして、タブレットＰＣ２００の裏面側を、壁掛け保持具３の背面部２０に沿わせた状態で、タブレットＰＣ２００の下部側が左右の案内部２１，２２内に差し込まれるようにしつつ、これを支持部２３，２４上に落とし込めば、図１１で示されるように、タブレットＰＣ２００は、壁掛け保持具３内に収容される。この状態で、タブレットＰＣ２００は、この壁掛け保持具３に、ディスプレイ２０２の画面を前方に向けた状態で、前後方向、左右方向、上下方向に位置決めされる。
【００５１】
この場合、タブレットＰＣ２００の正面（前面）側は、左右両端側が一部、案内部２１，２２の右及び左突出部２１ｂ,２２ｂで覆われ、下端側が一部、支持部２３，２４の滑り防止ガイド２３ｂ，２４ｂで覆われるが、覆われる部分が、タブレットＰＣ２００の端であり、かつ、覆う面積も小さいため、これらが、タブレットＰＣ２００の操作や使用に障害を生じさせることはない。したがって、タブレットＰＣ２００の使用者は、壁掛け保持具３中のタブレットＰＣ２００のディスプレイ２０２の画面に、タッチして自由に入力し、必要な情報を得ることができる。なお、壁掛け保持具３からのタブレットＰＣ２００の取り出しは、タブレットＰＣ２００を背面部２０に沿わせつつ上方に持ち上げ、これを案内部２１，２２側から引き出すようにすればよい。
【００５２】
また、夜間、タブレットＰＣ２００の充電を行うには、コネクター載置部２５上に置かれている、充電器２１０の電源側コネクター２１４を、タブレットＰＣ２００の充電コネクター２０１に差し込めばよく、操作も容易である。そして、充電が終了した翌朝、電源側コネクター２１４をタブレットＰＣ２００から外して、これを、コネクター載置部２５側に載せておけば、タブレットＰＣ２００は何時でも使用できる状態となる。
【００５３】
以上のように、この壁掛け保持具３においても、タブレットＰＣ２００を壁掛け保持具３内に落とし込むだけで、これを、壁面Ｗに沿うように、この壁面Ｗ側に保持させることができる。このため、この壁掛け保持具３では、タブレットＰＣ２００を、じゃまにならない場所に簡単に収納できるとともに、収納後であっても、このタブレットＰＣ２００を使って種々の情報を入手することができる。また、この壁掛け保持具３でも、コネクター載置部２５上に置かれた充電器２１０の電源側コネクター２１４を、タブレットＰＣ２００の充電コネクター２０１に差し込むだけで、このタブレットＰＣ２００の充電をすることができ、充電が容易にできるとともに、充電に当たって、タブレットＰＣ２００が場所を占拠してしまったり、床上で充電中のタブレットＰＣ２００が通行等のじゃまになるため、これを蹴飛ばしてしまうといった不都合をなくすことができる。
【００５４】
なお、この実施形態では、タブレットＰＣ２００の充電コネクター２０１は、タブレットＰＣ２００の下端側中央に設けられているが、タブレットＰＣ２００の左右の何れかの端部や上端側に設けられていてもよい。もちろん、壁掛け保持具３の案内部２１，２２、支持部２３，２４、及びコネクター載置部２５は、タブレットＰＣ２００の充電コネクター２０１と干渉しない位置に設けられている必要がある。
【００５５】
また、コネクター載置部２５は、背面部２０の下端側に設けられているが、背面部２０の左端側や右端側といった、背面部２０の端部に設けられておればよい。
【００５６】
さらに、この壁掛け保持具３では、支持部２３，２４の滑り防止ガイド２３ｂ，２４ｂがなくても、タブレットＰＣ２００を位置決めできるので、これらは、あれば役にはたつが、必ず必要なものではない。
【００５７】
また、支持部２３，２４の一端側を案内部２１，２２の直下まで延ばし、案内部２１，２２の全機能、すなわち、前突出部２１ａ，２２ａの機能（タブレットＰＣ２００の左方又は右方への移動による落下防止機能）と、右及び左突出部２１ｂ,２２ｂの機能（前方への倒れによる落下防止機能）を支持部２３，２４側に形成するようにしてもよいし、案内部２１，２２の一部の機能、すなわち、右及び左突出部２１ｂ,２２ｂの機能を、支持部２３，２４側に形成するようにしてもよい。
【００５８】
さらに、実施携帯１の壁掛け保持具１の大支持孔Ｄ２を、この壁掛け保持具３のコネクター載置部２５が差し込めるサイズとし、図１２で示されるように、壁掛け保持具３の下に壁掛け保持具１をぶら下げ、２つの壁掛け保持具１，３を使用して、タブレットＰＣ２００とスマートフォン１００とを上下に並べて壁面Ｗ側に保持できるようにしてもよい。タブレットＰＣ２００とスマートフォン１００とを壁面Ｗ側の１つの場所に集めることができ、タブレットＰＣ２００やスマートフォン１００の取り扱いや操作の容易化を図ることができる。もちろん、壁掛け保持具３の大支持孔Ｅ２を、この壁掛け保持具１のコネクター載置部１７が差し込めるサイズとし、壁掛け保持具１の下に壁掛け保持具３をぶら下げるようにしてもよい。
【００５９】
また、複数のタブレットＰＣ２００を有している場合には、壁掛け保持具３の大支持孔Ｅ２に、別の壁掛け保持具３のコネクター載置部２５を差し込んで、複数の壁掛け保持具３を壁面Ｗ側にぶら下げ、これらに、タブレットＰＣ２００をそれぞれ収納するようにしてもよい。
【００６０】
さらに、図１３の（ａ）で示されるように、壁掛け保持具１に設けられた小支持孔Ｄ１近傍に、矩形状の大支持孔Ｄ２を別に設けるとともに、大支持孔Ｄ２の上辺Ｄ２０側中央に、下向き突起Ｄ２１設け、かつ、図１３の（ｂ）で示されるように、壁掛け保持具３のコネクター載置部２５の載置部分２５ａの背面部２０側に、前後の長さ（厚さ）が、下向き突起Ｄ２１の厚さより僅かに大きい、下方に貫通する位置決め孔２５ｃを設けて、壁掛け保持具３に壁掛け保持具１をぶら下げるに当たって、この位置決め孔２５ｃ内に、下向き突起Ｄ２１を差し込むようにしてもよい。このことにより、壁掛け保持具１は、壁掛け保持具３の背面部２０に沿うように、前後方向に位置決めされるとともに、大支持孔Ｄ２の上辺Ｄ２０側が、壁掛け保持具３の載置部分２５ａの上面によって安定した状態で支持される。この場合、位置決め孔２５ｃの左右幅を下向き突起Ｄ２１の左右幅より僅かに大きく形成しておけば、壁掛け保持具１は、壁掛け保持具３に対して、左右方向の位置決めもなされることとなる。
【００６１】
また、壁掛け保持具３に、図１３の（ａ）で示される小及び大支持孔Ｄ１，Ｄ２と同様な、小及び大支持孔Ｅ１，Ｅ２を設け、かつ、壁掛け保持具１に、図１３の（ｂ）で示される位置決め孔２５ｃと同様な位置決め孔を設け、壁掛け保持具３を壁掛け保持具１の下にぶら下げるようにしてもよい。
【００６２】
もちろん、壁掛け保持具１又は壁掛け保持具３に、図１３の（ａ）で示される小及び大支持孔Ｄ１，Ｄ２と同様な、小及び大支持孔を設けるとともに、それぞれのコネクター載置部１７，２５側にも、図１３の（ｂ）で示される位置決め孔２５ｃと同様な位置決め孔を設けて、壁掛け保持具１に壁掛け保持具１をぶら下げたり、壁掛け保持具３に壁掛け保持具３をぶら下げてもよい。
【００６３】
さらに、図１４の（ａ）で示されるように、壁掛け保持具１の大支持孔Ｄ２を、高さが低く、かつ左右幅も小さい小矩形孔Ｄ２２と、その下の大矩形孔２３とで形成し、小矩形孔Ｄ２２の左右幅サイズを、図１４の（ｂ）で示される、壁掛け保持具３の載置部分２５ａの左右幅より僅かに大きく形成することにより、図１４の（ｃ）で示されるように、壁掛け保持具３に壁掛け保持具１をぶら下げるに当たり、小矩形孔Ｄ２２内に載置部分２５ａを挿入して、壁掛け保持具１を位置決めするようにしてもよい。このことにより、壁掛け保持具１は、壁掛け保持具３に対して、左右方向の位置決めがしっかりなされ、かつ、小矩形孔Ｄ２２の上辺Ｄ２３側が、壁掛け保持具３の載置部分２５ａの上面によって安定した状態で支持される。さらに、壁掛け保持具３に、図１４の（ａ）示される小及び大矩形孔Ｄ２２，Ｄ２３と同様な小及び大矩形孔を設け、壁掛け保持具３を、壁掛け保持具１の下にぶら下げるようにしてもよい。
【００６４】
もちろん、壁掛け保持具１又は壁掛け保持具３に、図１４の（ａ）で示される、小及び大矩形孔Ｄ２２，Ｄ２３と同様な小及び大矩形孔を設け、かつ、小矩形孔の左右幅を、自身のコネクター載置部１７，２５の載置部分１７ａ，２５ａの左右幅より僅かに大きく形成して、壁掛け保持具１に他の壁掛け保持具１をぶら下げたり、壁掛け保持具３に他の壁掛け保持具３をぶら下げるようにしてもよい。
【符号の説明】
【００６５】
１，２，３    壁掛け保持具
１０，２０    背面部
１１，１２    第１案内部（案内部）
１５，１６    支持部
１７，２５    コネクター載置部（コネクター支持部）
２１，２２    案内部
２３，２４    支持部
１００    スマートフォン（携帯型電子機器）
１０１    充電コネクター
１０２    ディスプレイ
１１１，２１１    コード
１１４，２１４    電源側コネクター
２００    タブレットＰＣ（携帯型電子機器）
２０１    充電コネクター
２０２    ディスプレイ
Ｄ１，Ｅ１    小支持孔（支持孔）
Ｄ２，Ｅ２    大支持孔（他の支持孔）
Ｍ１，Ｍ２    案内溝
Ｔ１，Ｔ２    支持突起
Ｗ    壁面
【図１】
2013192122.tif 000003
【図２】
2013192122.tif 000004
【図３】
2013192122.tif 000005
【図４】
2013192122.tif 000006
【図５】
2013192122.tif 000007
【図６】
2013192122.tif 000008
【図７】
2013192122.tif 000009
【図８】
2013192122.tif 000010
【図９】
2013192122.tif 000011
【図１０】
2013192122.tif 000012
【図１１】
2013192122.tif 000013
【図１２】
2013192122.tif 000014
【図１３】
2013192122.tif 000015
【図１４】
2013192122.tif 000016
【手続補正書】
【提出日】平成24年3月19日(2012.3.19)
【手続補正１】
【補正対象書類名】特許請求の範囲
【補正対象項目名】請求項１
【補正方法】変更
【補正の内容】
【請求項１】
ディスプレイ画面に触れることにより入力がなされる携帯型電子機器を、壁面側に保持させるための携帯型電子機器の壁掛け保持具であって、
壁面に固定又は壁面側の支持突起に支持される背面部と、前記背面部の左右の両側端側に設けられ、前記携帯型電子機器の左右方向に対する位置決めを行うとともに、前方への倒れによる落下を防止する案内部と、前記背面部の下部側に設けられ、前記携帯型電子機器の下端側を支持する支持部と、前記背面部の端部側に設けられ、前記携帯型電子機器の充電コネクターに着脱される電源側コネクターを支持するコネクター支持部とを有し、
かつ、前記案内部、前記支持部、及び前記コネクター支持部が、前記携帯型電子機器の端部に設けられた前記充電コネクターを避けた位置に設けられていることを特徴とする携帯型電子機器の壁掛け保持具。
【手続補正２】
【補正対象書類名】明細書
【補正対象項目名】０００７
【補正方法】変更
【補正の内容】
【０００７】
この発明の請求項１記載の発明は、ディスプレイ画面に触れることにより入力がなされる携帯型電子機器を、壁面側に保持させるための携帯型電子機器の壁掛け保持具であって、壁面に固定又は壁面側の支持突起に支持される背面部と、前記背面部の左右の両側端側に設けられ、前記携帯型電子機器の左右方向に対する位置決めを行うとともに、前方への倒れによる落下を防止する案内部と、前記背面部の下部側に設けられ、前記携帯型電子機器の下端側を支持する支持部と、前記背面部の端部側に設けられ、前記携帯型電子機器の充電コネクターに着脱される電源側コネクターを支持するコネクター支持部とを有し、かつ、前記案内部、前記支持部、及び前記コネクター支持部が、前記携帯型電子機器の端部に設けられた前記充電コネクターを避けた位置に設けられていることを特徴とする。
【手続補正書】
【提出日】平成24年6月11日(2012.6.11)
【手続補正１】
【補正対象書類名】特許請求の範囲
【補正対象項目名】請求項１
【補正方法】変更
【補正の内容】
【請求項１】
ディスプレイ画面に触れることにより入出力がなされる携帯型電子機器を、使用可能な状態で壁面側に保持させるための携帯型電子機器の壁掛け保持具であって、
壁面に固定又は壁面側の支持突起に支持される背面部と、前記背面部の左右の両側端側に設けられ、前記携帯型電子機器の左右方向に対する位置決めを行うとともに、前方への倒れによる落下を防止する案内部と、前記背面部の下部側に設けられ、前記携帯型電子機器の下端側を支持する支持部と、前記背面部の端部側に設けられ、前記携帯型電子機器の充電コネクターに着脱される単一の給電部を有した、この携帯型電子機器充電用の電源側コネクターを、前記支持部上に支持されている前記携帯型電子機器の前記充電コネクターの位置まで移動可能な状態で、かつ、この携帯型電子機器と接触させないように支持するコネクター支持部とを有し、
さらに、前記案内部、前記支持部、及び前記コネクター支持部が、前記携帯型電子機器の端部に設けられた前記充電コネクターを避けた位置に設けられていることを特徴とする携帯型電子機器の壁掛け保持具。
【手続補正２】
【補正対象書類名】明細書
【補正対象項目名】０００７
【補正方法】変更
【補正の内容】
【０００７】
この発明の請求項１記載の発明は、ディスプレイ画面に触れることにより入出力がなされる携帯型電子機器を、使用可能な状態で壁面側に保持させるための携帯型電子機器の壁掛け保持具であって、壁面に固定又は壁面側の支持突起に支持される背面部と、前記背面部の左右の両側端側に設けられ、前記携帯型電子機器の左右方向に対する位置決めを行うとともに、前方への倒れによる落下を防止する案内部と、前記背面部の下部側に設けられ、前記携帯型電子機器の下端側を支持する支持部と、前記背面部の端部側に設けられ、前記携帯型電子機器の充電コネクターに着脱される単一の給電部を有した、この携帯型電子機器充電用の電源側コネクターを、前記支持部上に支持されている前記携帯型電子機器の前記充電コネクターの位置まで移動可能な状態で、かつ、この携帯型電子機器と接触させないように支持するコネクター支持部とを有し、さらに、前記案内部、前記支持部、及び前記コネクター支持部が、前記携帯型電子機器の端部に設けられた前記充電コネクターを避けた位置に設けられていることを特徴とする。
【手続補正３】
【補正対象書類名】明細書
【補正対象項目名】００２３
【補正方法】変更
【補正の内容】
【００２３】
また、充電器１１０は、図５で示されるように、コード１１１の一端側に、ＡＣアダプター１１３付きプラグ１１２が設けられ、コード１１１の他端側に、スマートフォン１００の充電コネクター１０１に、その給電部１１４ａが差し込まれる電源側コネクター１１４が設けられたものである。なお、パソコンのＵＳＢ雌端子からでも充電できるように、コード１１１のＡＣアダプター１１３側は、ＵＳＢ雄端子１１５となっており、これが、ＡＣアダプター１１３側のＵＳＢ雌端子に差し込まれている。
【手続補正４】
【補正対象書類名】明細書
【補正対象項目名】００４４
【補正方法】変更
【補正の内容】
【００４４】
また、充電器２１０は、充電器１１０と同一タイプのものであり、図１０で示されるように、コード２１１の一端側に、ＡＣアダプター２１３付きプラグ２１２が設けられ、コード２１１の他端側に、タブレットＰＣ２００の充電コネクター２０１に、その給電部２１４ａが差し込まれる電源側コネクター２１４が設けられている。なお、この充電器２１０も、コード１１１の端部側にＵＳＢ雄端子２１５を有している。
【手続補正５】
【補正対象書類名】図面
【補正対象項目名】図５
【補正方法】変更
【補正の内容】
【図５】
2013192122.tif 000017
【手続補正６】
【補正対象書類名】図面
【補正対象項目名】図１０
【補正方法】変更
【補正の内容】
【図１０】
2013192122.tif 000018